【手続補正書】
【提出日】平成17年8月15日(2005.8.15)
【手続補正１】
【補正対象書類名】明細書
【補正対象項目名】特許請求の範囲
【補正方法】変更
【補正の内容】
【特許請求の範囲】
【請求項１】
第１および第２の対向する表面を有する反射部材であって、前記第１表面は、実質的に透明であり、前記第２表面は、透明部分および複数の不透明な反射部分を有し、隣接する反射部分は、前記反射部材の第１表面を通る放射線を受け取り、該放射線を集中させ反射して、前記第１表面の臨界角より大きい前記第１表面に対する角度で前記第１表面に向けて集中させられる放射線を形成するように配置されており、前記第１表面は、該第１表面から離れるように集中された放射線を方向付けするように配置されており、該集中される放射線は、前記第１表面から離れるにつれて集束するようになっている反射部材と、
前記反射部材の前記第２表面の前記透明部分に添えられた反射受光面を有し、前記集中される放射線を受け取るように配置された太陽電池と、を備える太陽電池アセンブリ。
【請求項２】
第１および第２の対向する表面を有する反射部材であって、前記第１表面は、少なくとも部分的に透明で、前記第２表面は、複数の反射部分を有し、隣接する反射部分は、前記反射部材の前記第１表面を通る放射線を受け取り、該放射線を集束および反射して、前記第１表面の臨界角より大きい前記第１表面に対する角度で、前記第１表面の方へ向けられる集束する放射線を形成するように配置されており、前記第１表面は、前記集束する放射線を前記第１表面から遠ざかるよう方向付けるように配置されており、前記集束する放射線は、前記第１表面から離れるにつれて集束するようになっている反射部材と、
少なくとも前記反射部材の近くに配置され、前記第１表面から離れるように方向付けられ集束された放射線を受け取り、電流を生成するように配置された放射線受光面を有する太陽電池と、を有する太陽電池アセンブリ。
【請求項３】
放射線を受け取って電流を生成するように配置された放射線受光面を有する太陽電池と、
実質的に透明な第１表面および該第１表面に対向する第２表面を有し、前記第２表面は、前記太陽電池の前記放射線受光面に接着された接着部分、および複数の間隔をあけられた反射部分を有し、隣接した反射部分は、前記第１表面から前記第２表面に反射層を通る放射線の一部を受け取り、前記第２表面から遠ざかるように延びる反射された通路に沿って前記放射線部分を反射するように差し向けるように配置されており、前記反射された経路は、前記第２表面から遠ざかるように延びるにつれて互いに接近する前記反射層と、
前記反射層の前記第１表面に接着された第１表面および前記第１表面に対向する第２表面を有する実質的に透明な支持体層であって、前記反射層から反射される前記放射線部分を受け取り、全反射によって前記第１表面から離れて太陽電池の方へ延びる変えられた経路に沿って前記放射線部分の向きを変えるのに十分な屈折率を有し、前記変えられた経路は、前記第１表面から遠ざかるように延びるにつれて互いに接近する、支持体層とを備える太陽電池アセンブリ。
【請求項４】
放射線を受け取って電流を生成するために配置された放射線受光面を有する太陽電池と、
実質的に透明な第１表面および第１表面に対向する第２表面を有する反射層であって、前記第２表面は、前記太陽電池の前記放射線受光面に接着された接着部分および複数の間隔をあけられた反射部分を有し、隣接する反射部分は、前記第１表面から前記第２表面まで前記反射層を通る放射線の一部分を受け取り、前記第２表面から遠ざかるように延びる反射された経路に沿って放射線の反射する向きを変えるように配置されており、前記反射された経路は前記第２表面から遠ざかるように延びるにつれて互いに接近する、反射層とを備え、前記反射層の前記第１表面は、前記第２表面から反射される前記放射線部分を受け取り全反射によって前記太陽電池の方へ前記放射線部分の向きを変えるに十分な屈折率を有し、前記放射線部分は、前記第１表面から離れるにつれて集束する太陽電池アセンブリ。
【請求項５】
前記反射部材は、第１および第２の対向する表面を有する支持体層であって、前記反射部材の前記第１表面が前記支持体層の前記第２表面を含んでいる支持体層と、
第１および第２の対向する表面を有するフィルム層であって、該フィルム層の第１表面が前記支持体層の前記第１表面に接着され、前記反射部材の前記第２表面が前記フィルム層の前記第２表面を含むフィルム層と、を備え、前記反射部材の各々の不透明な反射部分は、集中される放射線の部分を他の反射部分に入射することなく、前記フィルム層および前記支持体層を通して前記支持体層の前記第２表面の方へ向ける反射性の金属層を含む請求項１、２、３または４に記載のアセンブリ。
【請求項６】
前記反射部材は、
第１および第２の対向する表面を有する支持体層であって、前記反射部材の前記第１表面が前記支持体層の前記第２表面を含む支持体層と、
第１および第２の対向する表面を有するフィルム層であって、該フィルム層の第１表面が前記支持体層の前記第１表面に接着されて前記反射部材の前記第２表面を形成するフィルム層と、を備える請求項１、２、３または４に記載のアセンブリ。
【請求項７】
前記反射部材がアクリルを含み、前記太陽電池が第１太陽電池であり、前記複数の不透明な反射部分が第１複数であり、前記放射線が第１の放射線部分を含み、前記集中される放射線が第１の集中される放射線部分であり、
前記反射部材の前記第１表面を通る第２の放射線部分を受け取り、該第２の放射線部分を集中させ反射して、第１表面の臨界角より大きい前記第１表面に対する角度で第１表面の方へ向かう第２の集中される放射線部分を形成するように配置された第２複数の不透明な反射部分であって、前記第１表面は、該第１表面から離れるように前記第２の集中された放射線部分を方向付けるように配置されており、前記第２の集中された放射線部分の放射線は、前記第１表面から離れるにつれて集束する反射部分と、
前記反射部材の前記第２表面の第２透明部分に接着される放射線受光面を有し、前記第２の集中される放射線部分を受け取れるよう配置された第２の太陽電池であって、該第２太陽電池は、前記反射部材の厚みのおよそ、１．８から２．２２倍の範囲の距離だけ前記第１太陽電池から間隔をあけて配置されている太陽電池と、を備える請求項１、２、３または４に記載のアセンブリ。
【請求項８】
前記太陽電池が第１太陽電池であり、前記放射線が第１の放射線部分を含み、第２、第３および第４の太陽電池をさらに備え、前記複数の不透明な反射部分は、第１の放射線部分を前記第１太陽電池の方へ反射するように配置された第１反射部分と、前記第１反射部分の反対側に向き、第２の放射線部分を前記第２太陽電池の方へ反射する第２反射部分と、第３の放射線部分を前記第３の太陽電池の方へ反射するように前記第１および第２反射部分の中間に配置された第３の反射部分と、前記第３の反射部分の反対側に向き、第４の放射線部分を前記第４の太陽電池の方へ反射する第４の反射部分と、を有する請求項１、２、３または４に記載のアセンブリ。
【請求項９】
前記反射部材は、
第１および第２の対向する表面を有する支持体層であって、前記反射部材の前記第１表面が前記支持体層の前記第２表面を含む支持体層と、
第１および第２の対向する表面を有するフィルム層であって、該フィルム層の前記第１表面は、前記支持体層の前記第１表面に接着され前記反射部材の前記第２表面を形成するフィルム層と、を備える請求項１、２、３または４に記載のアセンブリ。
【請求項１０】
それぞれ放射線受光面を有する、間隔をあけた第１および第２の太陽電池と、
第１および第２の対向する表面を有する反射部材であって、前記第１表面が実質的に透明であり、前記第２表面は、それぞれ、前記第１および第２の太陽電池の前記放射線受光面に接着された第１および第２透明部分を有し、前記第２表面は、それぞれ第１小表面および隣接した第２小表面を有する複数の不透明な反射ユニットを有する、前記反射部材と、をさらに備え、
前記第１小表面のそれぞれは、前記反射部材の前記第１表面を通る放射線の第１部分を集合的に受け取り、該放射線の第１部分を反射集中させ、前記第１表面の臨界角より大きい前記第１表面に対する角度で前記第１表面に配向されており、前記第１表面は、前記第１の放射線部分を前記第１表面から離れて前記第１太陽電池の方へ向けるように配置され、前記第１の放射線部分は、前記第１表面から離れるにつれて集束し、
前記第２小表面のそれぞれは、前記反射部材の前記第１表面を通る放射線の第２部分を集合的に受け取り、該放射線の第２部分を反射集中させ、前記第１表面の臨界角より大きい前記第１表面に対する角度で配向されており、前記第１表面は、前記第２の放射線部分を前記第１表面から離れて前記第２太陽電池の方へ向けるように配置され、前記第２の放射線部分は、前記第１表面から離れるにつれて集束する太陽電池アセンブリ。
【請求項１１】
太陽電池の放射線受光面に放射線を集中させるための方法であって、
反射部材の実質的に透明な第１表面を通して前記第１表面の反対側の前記反射部材の第２表面に放射線を向け、
前記第２表面の第１の不透明部分から遠ざかるよう前記放射線の第１部分を反射して前記第１表面に向けられる反射された放射線の第１部分を形成し、
前記第１部分に隣接した前記第２表面の第２の不透明部分から遠ざかるよう前記放射線の第２部分を反射して前記第１表面に向けられ、また反射された放射線の前記第１部分に向けられた反射された放射線の第２の部分を形成し、
前記第１および第２の反射された放射線部分の向きを前記第１表面で変えて前記反射された放射線部分を互いの方へおよび前記太陽電池の前記受光面の方へ向けることを含む、放射線を集中させるための方法。
【請求項１２】
前記放射線の前記第１部分を反射することが前記反射された放射線の前記第１部分を前記第１表面の臨界角より大きい角度で前記第１表面の方へ向けることを含む請求項１１に記載の方法。
【請求項１３】
前記放射線の前記第２部分を反射することが反射された放射線の前記第２部分を前記反射部材の臨界角より大きい角度で前記第１表面の方へ向けることを含む請求項１１に記載の方法。